(57)【特許請求の範囲】
【請求項１】
任意数のガイダンス文字でそれぞれ構成される複数の選択項目が複数のセル内に分離されてそれぞれ印刷されると共に該複数の選択項目には選択的にマークが付された帳票の画像を入力する画像入力部と、
前記帳票における前記複数の選択項目の位置情報及び該各選択項目を構成する前記ガイダンス文字の文字列がそれぞれ定義されたマーク情報を予め格納する選択マーク定義情報格納メモリと、
前記帳票の画像上の前記ガイダンス文字の文字列を前記各セル毎に切出して該ガイダンス文字を認識する文字認識部と、
前記文字認識部で得られた前記各セル毎の認識結果によって前記各選択項目毎の前記文字列の定義を構成できるか否かを判定し、該判定の結果に基づき前記マークの付された選択項目の前記文字列を抽出する選択文字列抽出部とを、備えたことを特徴とする文字認識装置。
【請求項２】
任意数のガイダンス文字でそれぞれ構成される複数の選択項目が共通のセル内に行を別けてそれぞれ印刷されると共に該複数の選択項目には選択的にマークが付された帳票の画像を入力する画像入力部と、
前記帳票における前記複数の選択項目の位置情報及び該各選択項目を構成する前記ガイダンス文字の文字列がそれぞれ定義されたマーク情報を予め格納する選択マーク定義情報格納メモリと、
前記帳票の画像上の前記ガイダンス文字の文字列を前記行単位に切出して該ガイダンス文字を認識する文字認識部と、
前記文字認識部で得られた前記行単位の認識結果が前記選択項目毎の前記文字列の定義を構成できるか否かを判定し、該判定の結果に基づき前記マークの付された選択項目の前記文字列を抽出する選択文字列抽出部とを、備えたことを特徴とする文字認識装置。
【請求項３】
任意数のガイダンス文字でそれぞれ構成される複数の選択項目が共通のセル内に区切り記号を挟んで配列されて印刷されると共に該複数の選択項目には選択的にマークが付された帳票の画像を入力する画像入力部と、
前記帳票における前記複数の選択項目の位置情報、前記区切り記号の場所及び該各選択項目を構成する前記ガイダンス文字の文字列がそれぞれ定義されたマーク情報を予め格納する選択マーク定義情報格納メモリと、
前記帳票の画像上の前記ガイダンス文字の文字列と前記区切り記号とを切出して該ガイダンス文字及び該区切り記号を認識する文字認識部と、
前記文字認識部で得られた前記セル内の認識の結果と前記区切り記号の場所及び前記選択項目毎の前記文字列の定義とを照合し、前記画像において前記各選択項目のガイダンス文字の文字列が認識できたか否かを順に判定し、該判定の結果に基づき前記マークの付された選択項目の前記文字列を抽出する選択文字列抽出部とを、備えたことを特徴とする文字認識装置。
【請求項４】
任意数のガイダンス文字でそれぞれ構成される複数の選択項目が共通のセル内に区切り記号を挟んで配列されて印刷されると共に該複数の選択項目には選択的にマークが付された帳票の画像を入力する画像入力部と、
前記帳票における前記複数の選択項目の位置情報、前記区切り記号の場所及び該各選択項目を構成する前記ガイダンス文字の文字列がそれぞれ定義されたマーク情報を予め格納する選択マーク定義情報格納メモリと、
前記帳票の画像上の前記ガイダンス文字の文字列と前記区切り記号とを切出して該ガイダンス文字及び該区切り記号を認識する文字認識部と、
前記文字認識部で得られた前記セル内の認識の結果と前記選択項目毎の前記文字列の定義とを照合し、前記画像において前記各選択項目のガイダンス文字の文字列が認識できたか否かを順に判定し、該判定の結果に基づき前記マークの付された選択項目の前記文字列を抽出する選択文字列抽出部とを、備えたことを特徴とする文字認識装置。
【発明の詳細な説明】
【０００１】
【発明の属する技術分野】
本発明は、選択用のマークによって選択された文字または文字列を認識結果として抽出する文字認識装置に関するものである。
【０００２】
【従来の技術】
図２（ａ），（ｂ）は、従来の帳票のマークフィールドの説明図である。
マークで選択された文字や文字列を認識結果として抽出する文字認識装置では、図２（ａ）のように、ドロップアウトカラーでマーク記入枠１及びガイダンス文字２等が予め印刷された帳票（ドロップアウトカラー帳票）を用いることが、多かった。マーク記入枠１は、マークを記入する場所を指定するものであり、該マーク記入枠１の内側に、ガイダンス文字２が印刷されている。ガイダンス文字２は、選択項目を表示するものであり、単数の場合と複数の場合とがある。ドロップアウトカラーとしては、青系や赤系の色が一般的に採用される。マーク記入枠１とガイダンス文字２の文字列が印刷された帳票のマークフィールドに、黒色の筆記具によって「○」や「ν」等のマーク３が付される。文字認識装置は、マーク３が付されたマーク記入枠１中のガイダンス文字２の文字列の「昭和」を、認識結果として抽出する。
【０００３】
例えば赤系の色のドロップアウトカラーで印刷された部分は、文字認識装置を構成する画像入力部の光源を赤系とすることで、これらが入力画像に残らなくなり、マーク３がマーク記入枠１やガイダンス文字２に触れても認識へ影響が少かった。
ところが、近年、ファクシミリ装置や汎用のイメージスキャナを画像入力部として使用する文字認識装置が増加している。このような文字認識装置では、光学的な問題からドロップアウトカラーの採用が困難であるため、図２（ｂ）のように、黒色のマーク記入枠４でマークフィールドを支援した帳票（以下、非ドロップアウトカラー帳票という）が、用いられる。非ドロップアウトカラ−帳票は、ワードプロセッサ等でレイアウトが作成され、一般のプリンタで印刷されるため、マーク記入枠４ばかりでなく、ガイダンス文字５も黒色で印刷される。そのため、認識への影響を考慮すると、ガイダンス文字５をマーク記入枠４の内側に印刷することができないので、ガイダンス文字５とそれを囲む文字枠６とをマーク記入枠４の外側に印刷していた。文字認識装置は、マーク３が付されたマーク記入枠４の外側のガイダンス文字５の例えば「昭和」を、認識結果として抽出する。
【０００４】
【発明が解決しようとする課題】
しかしながら、従来の非ドロップアウトカラー帳票に対する認識を行う文字認識装置では、次のような課題があった。
非ドロップアウトカラー帳票では、マーク記入枠４の外側にガイダンス文字５を印刷するので、ドロップアウトカラー帳票の場合よりも、帳票上のスペースを多く占有してしまう。また、項目毎に文字枠６が必要であり、選択項目が多い場合や、選択項目毎にガイダンス文字５の文字数が異なる場合に、帳票上でのフィールド設定に自由度が少なくなる。よって、帳票をレイアウトする際に、大きな制約を受けることになる。
【０００５】
【課題を解決するための手段】
前記課題を解決するために、本発明のうちの第１の発明は、文字認識装置において、次のように構成している。
即ち、任意数のガイダンス文字でそれぞれ構成される複数の選択項目が複数のセル内に分離されてそれぞれ印刷されると共に該複数の選択項目には選択的にマークが付された帳票の画像を入力する画像入力部と、前記帳票における前記複数の選択項目の位置情報及び該各選択項目を構成する前記ガイダンス文字の文字列がそれぞれ定義されたマーク情報を予め格納する選択マーク定義情報格納メモリと、前記帳票の画像上の前記ガイダンス文字の文字列を前記各セル毎に切出して該ガイダンス文字を認識する文字認識部と、前記文字認識部で得られた前記各セル毎の認識結果によって前記各選択項目毎の前記文字列の定義を構成できるか否かを判定し、該判定の結果に基づき前記マークの付された選択項目の前記文字列を抽出する選択文字列抽出部とを、備えている。
【０００６】
このような構成を採用したことにより、各セル内のガイダンス文字の文字列が文字認識部によって認識される。この認識において、マークが付された選択項目に対応する認識結果は、誤読あるいは認識不能になる。そこで、選択文字列抽出部によって、文字列の定義を認識結果で構成できるか否かを判定することで、マークの付された選択項目の文字列を抽出することができる。
【０００７】
第２の発明は、文字認識装置において、次のような構成にしている。
即ち、任意数のガイダンス文字でそれぞれ構成される複数の選択項目が共通のセル内に行を別けてそれぞれ印刷されると共に該複数の選択項目には選択的にマークが付された帳票の画像を入力する画像入力部と、前記帳票における前記複数の選択項目の位置情報及び該各選択項目を構成する前記ガイダンス文字の文字列がそれぞれ定義されたマーク情報を予め格納する選択マーク定義情報格納メモリと、前記帳票の画像上の前記ガイダンス文字の文字列を前記行単位に切出して該ガイダンス文字を認識する文字認識部と、前記文字認識部で得られた前記行単位の認識結果が前記選択項目毎の前記文字列の定義を構成できるか否かを判定し、該判定の結果に基づき前記マークの付された選択項目の前記文字列を抽出する選択文字列抽出部とを、備えている。
【０００８】
このような構成を採用したことにより、共通のセル内のガイダンス文字の文字列が行毎に文字認識部によって認識される。この認識において、マークが付された選択項目に対応する認識結果は、誤読あるいは認識不能になる。そこで、選択文字列抽出部によって、文字列の定義を認識結果で構成できるか否かを判定することで、マークの付された選択項目の文字列を抽出することができる。
【０００９】
第３の発明は、文字認識装置において、次のような構成にしている。
即ち、任意数のガイダンス文字でそれぞれ構成される複数の選択項目が共通のセル内に区切り記号を挟んで配列されて印刷されると共に該複数の選択項目には選択的にマークが付された帳票の画像を入力する画像入力部と、前記帳票における前記複数の選択項目の位置情報、前記区切り記号の場所及び該各選択項目を構成する前記ガイダンス文字の文字列がそれぞれ定義されたマーク情報を予め格納する選択マーク定義情報格納メモリと、前記帳票の画像上の前記ガイダンス文字の文字列と前記区切り記号とを切出して該ガイダンス文字及び該区切り記号を認識する文字認識部と、前記文字認識部で得られた前記セル内の認識の結果と前記区切り記号の場所及び前記選択項目毎の前記文字列の定義とを照合し、前記画像において前記各選択項目のガイダンス文字の文字列が認識できたか否かを順に判定し、該判定の結果に基づき前記マークの付された選択項目の前記文字列を抽出する選択文字列抽出部とを、備えている。
【００１０】
このような構成を採用したことにより、共通のセル内のガイダンス文字の文字列が、文字認識部によって認識される。この認識において、マークが付された選択項目及び区切り記号に対応する認識結果は、誤読あるいは認識不能になる。そこで、選択文字列抽出部によって、区切り記号の場所及び文字列の定義と認識結果とを照合することで、マークの付された選択項目の文字列を抽出することができる。
【００１１】
第４の発明は、文字認識装置において、次のような構成にしている。
即ち、任意数のガイダンス文字でそれぞれ構成される複数の選択項目が共通のセル内に区切り記号を挟んで配列されて印刷されると共に該複数の選択項目には選択的にマークが付された帳票の画像を入力する画像入力部と、前記帳票における前記複数の選択項目の位置情報、前記区切り記号の場所及び該各選択項目を構成する前記ガイダンス文字の文字列がそれぞれ定義されたマーク情報を予め格納する選択マーク定義情報格納メモリと、前記帳票の画像上の前記ガイダンス文字の文字列と前記区切り記号とを切出して該ガイダンス文字及び該区切り記号を認識する文字認識部と、前記文字認識部で得られた前記セル内の認識の結果と前記選択項目毎の前記文字列の定義とを照合し、前記画像において前記各選択項目のガイダンス文字の文字列が認識できたか否かを順に判定し、該判定の結果に基づき前記マークの付された選択項目の前記文字列を抽出する選択文字列抽出部とを、備えている。
【００１２】
このような構成を採用したことにより、共通のセル内のガイダンス文字の文字列が、文字認識部によって認識される。この認識において、マークが付された選択項目に対応する認識結果は、誤読あるいは認識不能になる。そこで、選択文字列抽出部によって、文字列の定義と認識結果とを順に照合することで、マークの付された選択項目の文字列を抽出することができる。
【００１３】
【発明の実施の形態】
第１の実施形態
図１は、本発明の第１の実施形態を示す文字認識装置の構成図である。
この文字認識装置は、非ドロップアウトカラーで帳票の選択マークフィールドに印刷された複数の選択項目のうち、マークが付された選択項目を抽出するものであり、スキャナ或いはファクシミリ装置で構成され、該帳票の画像を入力する画像入力部１０と、該画像入力部１０からバスＢを介して与えられた帳票の画像を格納する画像データ格納メモリ１１とを有している。バスＢには、さらに、読取対象の帳票における選択マークフィールドの位置情報、選択項目数、及び各選択項目を構成するガイダンス文字の文字列の定義等の必要情報が予め格納された選択マーク定義情報格納メモリ１２と、文字認識部１３と、認識結果格納メモリ１４と、選択文字列抽出部１５と、選択マーク文字列抽出結果格納メモリ１６とが、接続されている。
【００１４】
文字認識部１３は、選択マークフィールドにおける指定された領域の行の切出しと、該行からの文字の切出しと、その文字の文字認識とを行うものである。認識結果格納メモリ１４は、文字認識部１３が認識した結果を格納するものである。選択文字列抽出部１５は、認識結果格納メモリ１４に格納された認識結果から、選択項目毎にガイダンス文字の文字列の定義が構成できるかどうかを判定し、該判定結果に基づき、どの選択項目にマークが付されたかを判定してそのマークの付された選択項目を抽出するものである。選択マーク文字列抽出結果格納メモリ１６は、選択文字列抽出部１５で抽出された選択項目のガイダンス文字の文字列を格納するものであり、外部にはこの選択マーク文字列抽出結果格納メモリ１６から文字列が読出されるようになっている。
【００１５】
図３は、図１の文字認識装置で行う第１の選択項目の抽出例を示す説明図である。図４は、図１の文字認識装置で行う第２の選択項目の抽出例を示す説明図である。これらの図３及び図４を参照しつつ、図１の文字認識装置がマークが付された選択項目を抽出する際の動作を説明する。
図１の文字認識装置の画像入力部１０には、図３及び図４のように、非ドロップアウトカラーの黒線で囲われた例えば４個のセル２１が印刷された帳票の画像が入力される。帳票の各セル２１中には、ガイダンス文字２２の文字列で構成された例えば「明治」、「大正」、「昭和」及び「平成」の選択項目２３がそれぞれ黒字で印刷されている。帳票の画像は、画像データ格納メモリ１１に格納される。文字認識部１３は、選択マーク定義情報格納メモリ１２から選択マークフィールドの位置情報を取出して文字認識を行い、該位置情報に基づいてセル２１毎に文字認識結果を出力する。
【００１６】
例えば、図３のように、選択項目２３のうちの「昭和」にマーク２４が付された帳票の画像を入力した場合には、文字認識部１３の認識により、最初の「明治」の「明」には、文字の第１候補の“和”の認識結果と第２候補の“明”の認識結果とが得られ、「治」には“治”の認識結果が得られる。これらの認識結果が、認識結果格納メモリ１４に格納される。同様に、「大正」には“大”及び“正”の認識結果が得られ、該認識結果が認識結果格納メモリ１４に格納される。「昭和」に対しては、両方のガイダンス文字２２にマークが重なっているので、該「昭和」が１文字として切出され、認識結果は認識不能の“？”になり、これも認識結果格納メモリ１４に格納される。「平成」には“平”及び“成”の認識結果が得られ、該認識結果が認識結果格納メモリ１４に格納される。
【００１７】
選択文字列抽出部１５は、選択マーク定義情報格納メモリ１２から、選択項目２３の数（＝４）と各選択項目２３毎のガイダンス文字２２の文字列の定義を読出し、認識結果格納メモリ１４に格納したセル２１毎の認識結果を照合する。ガイダンス文字の文字列の定義としては、予め、「明治」、「大正」、「昭和」，「平成」の順の情報が格納されている。選択項目２３の「明治」については、認識結果の“和”“明”“治”から、選択項目２３の「明治」の定義を構成できるので、マークなしと判断される。選択項目２３の「大正」及び「平成」に関しても、認識結果から定義のガイダンス文字２２の文字列を構成できるので、マークなしと判断される。選択項目２３の「昭和」に関しては、認識結果が“？”の１個なので、数が不足で、定義されたガイダンス文字の文字列を構成できない。よって、「昭和」のガイダンス文字２２の文字列が、マークありと判定され、選択マーク文字列抽出結果格納メモリ１６に格納される。
【００１８】
図４のように、例えば、選択項目「昭和」のガイダンス文字の「和」に偏ってマーク２４が付された帳票の画像を入力した場合には、該ガイダンス文字の「昭」の文字認識結果“昭”が得られるが、「和」の文字認識結果が得られないので、定義されたガイダンス文字２２の文字列を構成できない。よって、「昭和」のガイダンス文字２２の文字列がマークありと判定され、選択マーク文字列抽出結果格納メモリ１６に格納される。
【００１９】
以上のように、この第１の実施形態では、文字認識部１３と、各選択項目２３毎のガイダンス文字２２の文字列の定義を格納する選択マーク定義情報格納メモリ１４と、選択文字列抽出部１５とを備え、各セル２１毎のガイダンス文字２２の文字列の認識結果から、その定義が構成できるか否かにより、マーク２４が付された選択項目２３を抽出するようにしたので、セル２１内に非ドロップアウトカラーでガイダンス文字２２を印刷しても、十分、マーク２４が付された選択項目２３を抽出できる。そのため、帳票のレイアウトが容易になる。さらに、マーク２４の記入時のゆれに対しても、柔軟に適応できるようになる。
【００２０】
第２の実施形態
図５は、本発明の第２の実施形態を示す文字認識装置の構成図である。
この文字認識装置は、非ドロップアウトカラーで帳票の選択マークフィールドに印刷された複数の選択項目のうち、マークが付された選択項目を抽出するものであり、スキャナ或いはファクシミリ装置で構成され、該帳票の画像を入力する画像入力部３０と、該画像入力部３０からバスＢを介して与えられた帳票の画像を格納する画像データ格納メモリ３１と有している。バスＢには、さらに、読取対象の帳票における選択マークフィールドの位置情報、選択項目数、及び各選択項目を構成するガイダンス文字の文字列の定義等の必要情報が予め格納された選択マーク定義情報格納メモリ３２と、文字認識部３３と、認識結果格納メモリ３４と、選択文字列抽出部３５と、選択マーク文字列抽出結果格納メモリ３６とが、接続されている。
【００２１】
文字認識部３３は、選択マークフィールドにおける指定された領域の行の切出しと、該行からの文字の切出しと、その文字の認識とを行うものである。認識結果格納メモリ３４は、文字認識部３３が認識した行単位の認識結果を格納するものである。選択文字列抽出部３５は、認識結果格納メモリ３４に格納された認識結果から、選択項目毎にガイダンス文字の文字列の定義が構成できるかどうかを判定し、該判定結果に基づき、どの選択項目にマーク付されたかを判定してそのマークの付された選択項目を抽出するものである。選択マーク文字列抽出結果格納メモリ３６は、選択文字列抽出部３５で抽出された選択項目のガイダンス文字の文字列を格納するものであり、外部にはこの選択マーク文字列抽出結果格納メモリ３６から文字列が読出されるようになっている。
【００２２】
図６は、図５の文字認識装置で行う選択項目の抽出例を示す説明図である。この図６を参照しつつ、図５の文字認識装置がマークが付された選択項目を抽出する際の動作を説明する。
図５の文字認識装置の画像入力部３０には、図６のように、非ドロップアウトカラーの黒線で囲われた例えばセル４１が印刷された帳票の画像が入力される。帳票のセル４１中には、ガイダンス文字４２の文字列で構成された例えば「明治」、「大正」、「昭和」及び「平成」の選択項目４３がそれぞれ黒字で行を別けて印刷されている。帳票の画像は、画像データ格納メモリ３１に格納される。文字認識部３３は、選択マーク定義情報格納メモリ３２から選択マークフィールドの位置情報を取出して文字認識を行い、該位置情報に基づいてセル４１内の認識結果を行単位に出力して認識結果格納メモリ３４に格納する。
【００２３】
選択文字列抽出部３５は、選択マーク定義情報格納メモリ３２から、選択項目４３の数（＝４）と、各選択項目４３毎のガイダンス文字４２の文字列の定義を読出し、認識結果格納メモリ３４に格納したセル４１の認識結果を照合する。ガイダンス文字４２の文字列の定義としては、第１の実施形態と同様に、「明治」、「大正」、「昭和」，「平成」の順の情報が格納されている。図６のように、３行目の「昭和」にマーク４４が付されている場合、１行目の選択項目４３の「明治」については、認識結果の“明治”から、選択項目４３の「明治」の定義を構成できるので、マークなしと判断される。選択項目４３の「大正」及び「平成」に関しても、認識結果から定義のガイダンス文字の文字列を構成できるので、マークなしと判断される。選択項目４３の「昭和」に関しては、認識結果が“？”の１個なので、数の不足より、定義された選択項目のガイダンス文字の文字列を構成できないと判定される。よって、「昭和」のガイダンス文字４２の文字列が、マーク４４の付された選択項目として抽出され、該「昭和」のガイダンス文字４２の文字列が選択マーク文字列抽出結果格納メモリ１６に格納される。
【００２４】
以上のように、この第２の実施形態では、文字認識部３３と、行が別れた選択項目４３毎の、ガイダンス文字４２の文字列の定義を格納する選択マーク定義情報格納メモリ３４と、選択文字列抽出部３５とを備え、セル４１内の行毎のガイダンス文字４２の文字列の文字認識結果でその定義が構成できるか否かにより、マーク４４が付された選択項目４３を抽出するようにしたので、セル４１内に非ドロップアウトカラーで複数行の選択項目４３を印刷した帳票に対して、マークの付された選択項目４３を抽出できる。
【００２５】
第３の実施形態
図７は、本発明の第３の実施形態を示す文字認識装置の構成図である。
この文字認識装置は、非ドロップアウトカラーで帳票の選択マークフィールドに印刷された複数の選択項目のうち、マークが付された選択項目を抽出するものであり、スキャナ或いはファクシミリ装置で構成され、該帳票の画像を入力する画像入力部５０と、該画像入力部５０からバスＢを介して与えられた帳票の画像を格納する画像データ格納メモリ５１と有している。バスＢには、さらに、読取対象の帳票における選択マークフィールドの位置情報、選択項目数、区切れ記号の場所及び各選択項目を構成するガイダンス文字の文字列の定義等の必要情報が予め格納された選択マーク定義情報格納メモリ５２と、文字認識部５３と、認識結果格納メモリ５４と、選択文字列抽出部５５と、選択マーク文字列抽出結果格納メモリ５６とが、接続されている。
【００２６】
文字認識部５３は、選択マークフィールドにおける指定された領域の行の切出しと、該行からの文字の切出しと、その文字の文字認識とを行うものである。認識結果格納メモリ５４は、文字認識部５３が認識した結果を格納するものである。選択文字列抽出部５５は、認識結果格納メモリ５４に格納された認識結果から、選択項目毎にガイダンス文字の文字列の定義が構成できるかどうかを判定し、該判定結果に基づき、どの選択項目にマーク付されたかを判定してそのマークの付された選択項目を抽出するものである。選択マーク文字列抽出結果格納メモリ５６は、選択文字列抽出部５５で抽出された選択項目のガイダンス文字の文字列を格納するものであり、外部にはこの選択マーク文字列抽出結果格納メモリ５６から文字列が読出されるようになっている。
【００２７】
図８は、図７の文字認識装置で行う第１の選択項目の抽出例を示す説明図である。
図７の文字認識装置の画像入力部５０には、図８のように、非ドロップアウトカラーの黒線で囲われた例えばセル６１が印刷された帳票の画像が入力される。帳票のセル６１中には、ガイダンス文字６２の文字列で構成された例えば「明治」、「大正」、「昭和」及び「平成」の選択項目６３が、区切り記号「・」を挟んで１行に黒字で印刷されている。帳票の画像は、画像データ格納メモリ５１に格納される。文字認識部５３は、選択マーク定義情報格納メモリ５２から選択マークフィールドの位置情報を取出して文字認識を行い、該位置情報に基づいて行毎に文字認識を行う。
【００２８】
例えば、図８のように、選択項目６３のうちの「・昭和」にマーク６４が付された帳票の画像を入力した場合では、文字認識部５３の文字認識により、最初の「明治」の「明」には、“明”の文字認識結果が得られる。「治」には“治”の文字認識結果が得られる。そして、区切り記号「・」には“・”の文字認識結果が得られる。同様に、文字認識を行うと、セル６１内では、“明治・大正？・平成”となる。ここで、「・昭和」はマーク６４の記入によって、１文字として切出され、文字認識結果は、認識不能の“？”になっている。これらの認識結果が、認識結果格納メモリ５４に格納される。
選択文字列抽出部５５は、選択マーク定義情報格納メモリ５２から、選択項目６３の数（＝４）と、マークの方式、つまり区切り記号で分離された各選択項目にマークが付されるという情報と、選択項目６３の区切り記号「・」を含んだガイダンス文字６２の文字列の定義とを読出し、認識結果格納メモリ５４に格納したセル６１の認識結果と順に照合する。
【００２９】
この照合において、選択項目６３の「明治」及び「大正」に対しては、認識結果の“明治”及び“大正”と一致するので、マークなしと判定される。“明治”及び“大正”の次の認識結果は“？・平”となるが、“・”は区切り記号であるので、実際に有効になる認識結果は“平”である。ここで、認識結果の“平”は選択項目６３の「平成」の第１文字であることが、定義から判定できるので、間に存在すべき“昭和”が認識できなかったことになる。よって、選択項目６３の「昭和」に、マーク６４が付されていると判定され、選択項目６３の「昭和」に対応するガイダンス文字６２の文字列が、選択文字列抽出結果過格納メモリ５６に格納される。
【００３０】
図９は、図７の文字認識装置で行う第２の選択項目の抽出例を示す説明図である。
前記図８では、選択文字列抽出部５５が、区切り記号「・」を含めた照合に基づいて、マーク６４が付された選択項目６３の抽出を行った例を説明したが、区切り記号「・」を参照しない照合を行ってもよい。以下、この場合の選択項目６３の抽出例を説明する。
例えば、図９のように、選択項目６３の「昭和」の「和」にマークが付されていた場合、文字認識部５３の文字認識により、セル６１内の認識結果が、“明治・大正・昭？・平成”となる。これらの結果は、認識結果格納メモリ５４に格納される。選択文字列抽出部５５は、選択マーク定義情報格納メモリ５２から、選択項目６３の数（＝４）と、各選択項目６３のガイダンス文字６２の文字列の定義とを読出し、認識結果格納メモリ５４に格納したセル６１の認識結果を順に照合する。このようにすると、選択項目６３の「昭和」に対して認識結果として得られるのは“昭”のみであり、「和」に対する認識結果は“？”となる。よって、定義されたガイダンス文字６２の「昭和」の文字列が構成できないので、「昭和」にマークが付されたと判定される。選択項目６３の「平成」に対しては、“昭”の次の“？”からは構成できないが、その文字を飛ばして次の２文字に対応する認識結果“平”“成”から構成できるので、マークなしと判定できる。
【００３１】
以上のように、この第３の実施形態では、文字認識部５３で得られたセル６１内の認識の結果と、区切り記号「・」の場所及び選択項目６３毎の文字列の定義とを照合し、画像において各選択項目６３毎のガイダンス文字６２の文字列が認識できたか否かを順に判定するか、或いは区切り記号「・」を照合の対象から外し、各選択項目６３毎のガイダンス文字６２の文字列が認識できたか否かを順に判定する選択文字列抽出部５５を設けたので、共通のセル６１にまとめて複数の選択項目６３を印刷した帳票に対し、マークの付された選択項目６３を抽出できる。よって、帳票のレイアウトが容易になる。
なお、本発明は、上記実施形態に限定されず種々の変形が可能である。
例えば、第１〜第３の実施形態では、マーク２４，４４，６４が「○」であり、該マーク２４〜６４の付された選択項目２３，４３，６３を抽出する例を説明したが、「＝」のマーク２４〜６４で、ガイダンス文字２２，４２，６２を消去する方式の帳票もある。この場合にも、第１〜第３の実施形態の技術を応用することで、簡単に選択項目を抽出できる。例えばマークあと判定された選択項目の代わりに、マークなしと判定した選択項目の文字の文字列を選択マーク文字列抽出結果格納メモリ１６，３６，５６に格納すればよい。
【００３２】
【発明の効果】
以上詳細に説明したように、第１の発明によれば、帳票における複数の選択項目の位置情報及び各選択項目を構成するガイダンス文字の文字列がそれぞれ定義されたマーク情報を予め格納する選択マーク定義情報格納メモリと、文字認識部と、各セル毎の認識結果によって各選択項目毎の文字列の定義を構成できるか否かを判定し、マークの付された選択項目を抽出する選択文字列抽出部とを設けたので、複数の選択項目が複数のセル内に分離されてそれぞれ印刷された帳票に対して、ドロップアウトカラーを用いない場合でも、マークが付された選択項目の文字列を抽出でき、帳票のレイアウトが容易になる。
第２の発明によれば、選択マーク定義情報格納メモリと、帳票の画像上における行単位の認識結果が選択項目毎の文字列の定義を構成できるか否かを判定し、判定の結果に基づきマークの付された選択項目を抽出する選択文字列抽出部とを設けたので、複数の選択項目が共通のセル内に行を別けて印刷された帳票に対して、ドロップアウトカラーを用いない場合でも、マークが付された選択項目の文字列を抽出でき、帳票のレイアウトが容易になる。
【００３３】
第３の発明によれば、選択マーク定義情報格納メモリと、セル内の認識の結果と区切り記号の場所及び選択項目毎の前記文字列の定義とを照合し、画像において各選択項目のガイダンス文字の文字列が認識できたか否かを順に判定し、マークの付された選択項目を抽出する選択文字列抽出部とを設けたので、複数の選択項目が共通のセル内に配列されて印刷された帳票に対して、ドロップアウトカラーを用いない場合でも、マークが付された選択項目の文字列を抽出でき、帳票のレイアウトが容易になる。
第４の発明によれば、選択マーク定義情報格納メモリと、セル内の認識の結果と選択項目毎の前記文字列の定義とを照合し、画像において各選択項目のガイダンス文字の文字列が認識できたか否かを順に判定し、マークの付された選択項目を抽出する選択文字列抽出部とを設けたので、複数の選択項目が共通のセル内に配列されて印刷された帳票に対して、ドロップアウトカラーを用いない場合でも、マークが付された選択項目の文字列を抽出でき、帳票のレイアウトが容易になる。
【図面の簡単な説明】
【図１】本発明の第１の実施形態を示す文字認識装置の構成図である。
【図２】従来の帳票のマークフィールドの説明図である。
【図３】図１の文字認識装置で行う第１の選択項目の抽出例を示す説明図である。
【図４】図１の文字認識装置で行う第２の選択項目の抽出例を示す説明図である。
【図５】本発明の第２の実施形態を示す文字認識装置の構成図である。
【図６】図５の文字認識装置で行う選択項目の抽出例を示す説明図である。
【図７】本発明の第３の実施形態を示す文字認識装置の構成図である。
【図８】図７の文字認識装置で行う第１の選択項目の抽出例を示す説明図である。
【図９】図７の文字認識装置で行う第２の選択項目の抽出例を示す説明図である。
【符号の説明】
１０，３０，５０        画像入力部
１１，３１，５１        画像データ格納メモリ
１２，３２，５２        選択マーク定義情報格納メモリ
１３，３３，５３        文字認識部
１５，３５，５５        選択文字列抽出部
２１，４１，６１        セル
２２，４２，６２        ガイダンス文字
２３，４３，６３        選択項目
【図１】
0003669832.tif 000002
【図２】
0003669832.tif 000003
【図３】
0003669832.tif 000004
【図４】
0003669832.tif 000005
【図５】
0003669832.tif 000006
【図６】
0003669832.tif 000007
【図７】
0003669832.tif 000008
【図８】
0003669832.tif 000009
【図９】
0003669832.tif 000010